(57)【要約】【課題】低背化は勿論、操作時にのみキートップを立ち上げる構造として、しかも比較的短い操作ストロークでも、明確な操作感が得られる、キースイッチを提供する。【解決手段】スイッチ部が配設されたパネルと、該パネル上に先端を互いに噛み合う状態で起伏可能に配置してなる一対のリンク部材と、これら一対のリンク部材の先端側に取着されるキートップとを備える。一対のリンク部材がパネル上に倒伏した際に自然長で一対のリンク部材の基部間に弾性線状部材が連結される。また、弾性線状部材に対し外力を加えることで、弾性線状部材に張力を付与して、一対のリンク部材の先端側を起立させ、キートップを押下げ操作可能に突出させてなる、可動部が設けられる。【選択図】図１
2013114984.tif 000002
【特許請求の範囲】
【請求項１】
スイッチ部が配設されたパネルと、先端を互いに噛み合わせると共に互いの基部を前記パネル上で接近離間移動させることで前記先端側を起伏可能に配置してなる一対のリンク部材と、これら一対のリンク部材の前記先端側に取着されるキートップとを具備するキースイッチにおいて、
前記一対のリンク部材が双方の先端から基部まで前記パネル上に倒伏状態にある際に、前記一対のリンク部材の基部間を、自然長で連結する弾性線状部材と、
前記一対のリンク部材およびキートップの動作に独立して移動可能な可動部と、を具備し、
該可動部により前記自然長の弾性線状部材に対して横断する方向に外力を加えることで、前記弾性線状部材に張力を付与して、前記一対のリンク部材の基部を前記パネル上で互いに接近移動させて前記一対のリンク部材を起立させ、前記一対のリンク部材の先端側を介して前記キートップを押下げ操作可能に突出させるようにした、ことを特徴とするキースイッチ。
【請求項２】
前記可動部は、前記パネルから突出して前記弾性線状部材の中間部位に当接させ、前記弾性線状部材の中間部位を介して前記弾性線状部材に対して横断するように押圧して、前記弾性線状部材に張力を付与する可動軸部である、請求項１に記載のキースイッチ。
【請求項３】
前記可動部は、前記パネル上にあって、前記自然長の弾性線状部材の中間部位を固定し、該弾性線状部材の中間部位の固定部位を、前記パネルに対して移動させることで前記弾性線状部材に張力を付与する可動パネルである、請求項１に記載のキースイッチ。
【請求項４】
スイッチ部が配設されたパネルと、先端を互いに噛み合わせると共に互いの基部を前記パネル上で接近離間移動させることで前記先端側を起伏可能に配置してなる一対のリンク部材と、これら一対のリンク部材の前記先端側に取着されるキートップとを具備するキースイッチを複数搭載して構成されるキーボードにおいて、
前記キースイッチは、請求項１〜３のいずれか１項に記載のキースイッチである、ことを特徴とするキーボード。
【請求項５】
スイッチ部が配設されたパネルと、先端を互いに噛み合わせると共に互いの基部を前記パネル上で接近離間移動させることで前記先端側を起伏可能に配置してなる一対のリンク部材と、これら一対のリンク部材の前記先端側に取着されるキートップとを具備するキースイッチを複数搭載したキーボード筐体と、該キーボード筐体上のキースイッチを収容する開閉蓋部と、を備えた携帯型情報処理装置において、
前記キースイッチは、請求項１〜３のいずれか１項に記載のキースイッチであり、
前記可動部は、前記開閉蓋部の開閉動作に連動して移動可能であり、
前記可動部に対し、前記開閉蓋部の開閉動作により移動力を伝達する連動機構部、を具備した、ことを特徴とする携帯型情報処理装置。
【発明の詳細な説明】
【技術分野】
【０００１】
本発明は、キースイッチおよびキーボード並びに携帯型情報処理装置に関するものである。
【背景技術】
【０００２】
従来、入力装置でキー入力にクリック感を持たせるために、コイルスプリングなどのバネ部材、接点部の操作機能を兼ね備えたドーム型形状の弾性作動部材を用いたものが知られている。
また、近年では、ノート型のパーソナルコンピュータ等の携帯型情報処理装置のキーボードに搭載されるキースイッチのように、低背化の傾向があることから、より操作ストロークを短くする中で、安定した操作感をもたらすキースイッチが要求されている。
【０００３】
例えば特許文献１参照。ここでのキースイッチでは、「案内部材１４を構成する第１リンク部材１２の各係止軸２６を、第３係止部４０の長さＬの範囲内で摺動可能とするとともに、第２リンク部材１３の各係止軸２６を、第４係止部４１の長さＬの範囲内で摺動可能とすることにより、操作者の指によりキートップ１１の上面に加えられる押圧力の大きさや押圧力の方向に応じて、キートップ１１を、コイルスプリング１５による連結作用に基づき、第１リンク部材１２の係止軸２６及び第２リンク部材１３の係止軸２６がそれぞれ第３係止部４０、第４係止部４１における摺動溝にて摺動可能な長さＬの範囲内で移動させるように構成する」と記載されている。
これによって、キートップの押下動作に追従して各リンク部材の下端部が摺動可能な範囲内でキートップの移動を可能とし、人間工学的見地から操作者に疲労が蓄積されることを防止し、キートップの操作性を格段に向上することが可能なキースイッチ装置と、そのキースイッチ装置を備えたキーボード及びそのキーボードを備えた電子機器を提供することができるとしている。
【先行技術文献】
【特許文献】
【０００４】
【特許文献１】特開２００１−１９５９４８号公報
【発明の概要】
【発明が解決しようとする課題】
【０００５】
キースイッチにおいて、低背化は勿論、操作時にのみキートップを立ち上げる構造として、しかも比較的短い操作ストロークでも、明確な操作感が得られる、キースイッチと、キースイッチを搭載したキーボード、さらにはそのキーボードを用いた携帯型情報処理装置が望まれている。
【課題を解決するための手段】
【０００６】
本発明の一態様では、スイッチ部が配設されたパネルと、先端を互いに噛み合わせると共に互いの基部を前記パネル上で接近離間移動させることで先端側を起伏可能に配置してなる一対のリンク部材と、これら一対のリンク部材の先端側に取着されるキートップとを具備するキースイッチにおいて、一対のリンク部材が双方の先端から基部までパネル上に倒伏状態にある際に、一対のリンク部材の基部間を、自然長で連結する弾性線状部材と、一対のリンク部材およびキートップの動作に独立して移動可能な可動部と、を具備し、可動部により自然長の弾性線状部材に対して横断する方向に外力を加えることで、弾性線状部材に張力を付与して、一対のリンク部材の基部をパネル上で互いに接近移動させて一対のリンク部材を起立させ、一対のリンク部材の先端側を介してキートップを押下げ操作可能に突出させるようにした、ことを特徴とするキースイッチを提供する。
【０００７】
上記構成において、可動部は、パネルから突出して弾性線状部材の中間部位に当接させ、弾性線状部材の中間部位を介して弾性線状部材に対して横断するように押圧して、弾性線状部材に張力を付与する可動軸部である。
【０００８】
また、可動部は、パネル上にあって、自然長の弾性線状部材の中間部位を固定し、弾性線状部材の中間部位の固定部位を、パネルに対して移動させることで弾性線状部材に張力を付与する可動パネルである。
【０００９】
本発明の別の態様では、スイッチ部が配設されたパネルと、先端を互いに噛み合わせると共に互いの基部をパネル上で接近離間移動させることで先端側を起伏可能に配置してなる一対のリンク部材と、これら一対のリンク部材の先端側に取着されるキートップとを具備するキースイッチを複数搭載して構成されるキーボードにおいて、キースイッチは、請求項１〜３のいずれか１項に記載のキースイッチである、ことを特徴とするキーボードを提供する。
【００１０】
本発明のさらに別の態様では、スイッチ部が配設されたパネルと、先端を互いに噛み合わせると共に互いの基部をパネル上で接近離間移動させることで先端側を起伏可能に配置してなる一対のリンク部材と、これら一対のリンク部材の先端側に取着されるキートップとを具備するキースイッチを複数搭載したキーボード筐体と、キーボード筐体上のキースイッチを収容する開閉蓋部と、を備えた携帯型情報処理装置において、キースイッチは、請求項１〜３のいずれか１項に記載のキースイッチであり、可動部は、開閉蓋部の開閉動作に連動して移動可能であり、可動部に対し、開閉蓋部の開閉動作により移動力を伝達する連動機構部、を具備した、ことを特徴とする携帯型情報処理装置を提供する。
【発明の効果】
【００１１】
本発明によれば、低背化は勿論、操作時にのみキートップを立ち上げる構造として、しかも比較的短い操作ストロークでも、明確な操作感が得られる、キースイッチを提供することができる。
【図面の簡単な説明】
【００１２】
【図１】本発明の一実施形態に係るキースイッチを示す、模式的な側面説明図である。
【図２】図１に示すキースイッチの、模式的な平面説明図である。
【図３】図１に示すキースイッチのキートップを押下げ操作した状態における、模式的な側面説明図である。
【図４】図３に示すキースイッチの、模式的な平面説明図である。
【図５】本発明の一実施形態に係るキースイッチを搭載したノート型パソコンの一例を示す、模式的な側面説明図である。
【図６】図５に示すノート型パソコンにおけるキースイッチの配置を示した平面図である。
【図７】図５に示すノート型パソコンの蓋部を閉じた状態を示す、模式的な側面説明図である。
【図８】本発明の別の実施形態に係るキースイッチの模式的な分解斜視説明図である。
【図９】図８に示すキースイッチの、切断斜視説明図である。
【図１０ａ】本発明の別の実施形態に係るキースイッチを搭載したノート型パソコンにおいて、キースイッチの配置例とキースイッチを操作可能に連動操作する機構を示した模式的な斜視図である。
【図１０ｂ】図１０ａに示すキースイッチを搭載したノート型パソコンにおいて、ノート型パソコンの蓋部を閉じた状態におけるキースイッチのパネル面の模式的な拡大平面説明図である。
【図１０ｃ】図１０ａに示すキースイッチを搭載したノート型パソコンにおいて、ノート型パソコンの蓋部を開いた状態におけるキースイッチのパネル面の模式的な拡大平面説明図である。
【図１１】ノート型パソコンの蓋部を閉じた状態におけるキートップを省略したキースイッチの斜視図である。
【図１２】ノート型パソコンの蓋部を開いた状態におけるキートップを省略したキースイッチの斜視図である。
【発明を実施するための形態】
【００１３】
以下、本発明の一実施形態を、添付図に基づいて詳細に説明する。
図１にキースイッチ１の一例を示す。このキースイッチ１は、スイッチ部（後述）が配設されたパネル２と、先端を互いに噛み合わせると共に互いの基部をパネル２上で接近離間移動させることで先端側を起伏可能に配置してなる一対のリンク部材３と、これら一対のリンク部材３の先端３１側に取着されるキートップ４とを備えている。そしてキースイッチ１には、一対のリンク部材３が双方の先端３１から基部３２までパネル２上に倒伏状態にある際に、一対のリンク部材３の基部３２間を、自然長で連結する弾性線状部材５と、一対のリンク部材３およびキートップ４の動作に独立して移動可能な可動部６と、を具備している。
以上のような構成により、キースイッチ１は、可動部６により自然長の弾性線状部材５に対して横断する方向に外力を加えることで、弾性線状部材５に張力を付与して、一対のリンク部材３の基部３２をパネル２上で互いに接近移動させて一対のリンク部材３を起立させ、一対のリンク部材３の先端側３１を介してキートップ４を押下げ操作可能に突出させるようにしている。
【００１４】
パネル２は、中心部にスイッチ部７が配設された略矩形状の枠状部材である（図３参照）。スイッチ部７は、詳細は示さないが、ここでは、例えば電気的接点を有するシート状スイッチ、すなわち、２枚のフィルム状回路基板に担持されて対向配置される一対の導通接点からなるメンブレンスイッチを採用している。
かかるパネル２の上面には、中心部を挟んで対向するように、二組（計４個）のスライド案内部２１が設けられている。スライド案内部２１は、案内溝２１ａを有し、この案内溝２１ａに一対のリンク部材３の基部３２側がスライド軸部３２ａを介して、それぞれにスライド自在に係合している。
各一組のスライド案内部２１は、リンク部材３のスライド方向に離間して配置されている。一対のリンク部材３の基部３２側が、スライド軸部３２ａを介してスライド案内部２１に案内されることで、キートップ４が昇降ストロークの下限位置まで押下された際に、一対のリンク部材３は互いに重なることなくパネル２上で倒伏状態となるようになっている。
また、パネル２には、スイッチ部７に隣接して、前述の可動部６（以下、可動軸部６）が挿通されて移動可能とする長穴２２が形成されている。
【００１５】
一対のリンク部材３は、例えば樹脂成形により一体的に形成されたものであり、互いのリンク部材３の噛合い歯３１ａ、３１ｂと回動可能に係合させた状態で使用される。
リンク部材３は、上述のように基部３２と、基部３２の両側で互いに平行に延びる一対の腕部３３、３３とを有している。
そして、リンク部材３は、先端３１に設けた回動軸３１ｃを介して後述するキートップ４を取着している。
【００１６】
キートップ４は、平面視略矩形状をなし、操作面としての上面の反対側の下面に突出する突出部４ａを有する。かかる突出部４ａにリンク部材３の先端３１側がリンク部材３の回動軸３１ｃを介してそれぞれに回動自在に取着されている。これにより、一対のリンク部材３とキートップ４とが連動してキートップ４の昇降動作を可能としている。
また、キートップ４には、図示は省略しているが、操作面としての上面の反対側の下面中央部に、パネル２の中心部のスイッチ部７に対応して、スイッチ部７の押圧操作を行うための操作突部が設けられている。
【００１７】
そして、弾性線状部材５は、上述の一対のリンク部材３の基部３２間に連結されている。弾性線状部材５には、例えばウレタン系の樹脂を用いることができる。この場合、一対のリンク部材３がパネル２上に倒伏状態（図３参照）、すなわち、キートップ４が最低位状態で張力が生じない自然長としている（図４参照）。
かかる弾性線状部材５には、パネル２に形成された長穴２２から突出する可動軸部６が、弾性線状部材５の中間部位に当接している。
【００１８】
本発明の一実施形態に係るキースイッチ１の機構構成は、概略以上の通りであり、次に、図５に、このキースイッチ１を搭載したノート型パソコン１０の一例を示し、以下、説明する。
図５はノート型パソコン１０の一例の模式的側面図である。このノート型パソコン１０は、キーボード筐体１０１と、液晶等の表示部を搭載した開閉蓋部１０２とを備える。
キーボード筐体１０１には、本発明に係るキースイッチ１が複数搭載される。また、ノート型パソコン１０には、これら複数のキースイッチ１が、開閉蓋部１０２を開いたときにキートップ４を操作可能状態に連動的に起立させ、開閉蓋部１０２を閉じたときにキートップを筐体１０１上に連動的に後退させる連動機構部１０３が備えられている。
【００１９】
連動機構部１０３は、例えばキーボード筐体１０１のキースイッチ１の搭載面直下の筐体１０１内に配設された連動パネル１０４と（図６参照）、開閉蓋部１０２の回動軸１０５に取り付けられた伝達機構１０６と、伝達機構１０６と連動パネル１０４とを連結する連結部材１０７とを備えている。そして連動パネル１０４には、キーボード筐体１０１上のキースイッチ１における可動軸部６がそれぞれ固定されている。
【００２０】
次に、ノート型パソコン１０に搭載されたキースイッチ１の機能、動作について説明する。
ノート型パソコン１０は、使用開始前には、図７に示すように、キースイッチ１が搭載されるキーボード筐体１０１に、液晶等の表示部を搭載した開閉蓋部１０２が閉じられた状態にある。この状態では、キーボード筐体１０１上のキースイッチ１は、図３に示すように、一対のリンク部材３がパネル２上に倒伏状態で、キートップ４が最低位状態にある。すなわち、一対のリンク部材３がパネル２上に倒伏状態であり、リンク部材３の基部３２間に連結される弾性線状部材５が自然長の状態で（図４参照）、倒伏状態のリンク部材３の一対の腕部３３、３３の高さより低い位置にあり、且つ、キートップ４は、突出部４ａがパネル２上に接し、さらには、パネル２の中心部のスイッチ部７に、スイッチ部７の押圧操作を行うための操作突部が当接した状態にある。
したがって、キースイッチ１は、実質的にキートップ４のリンク部材３との取り付け部である突出部４ａからキートップ４上面までの高さで保持されている。リンク部材３の基部３２間の弾性線状部材５が自然長の状態であるから、リンク部材３は、弾性線状部材５から何ら応力を受けることなく、キートップ４は最低位状態に維持される。
【００２１】
次に、ノート型パソコン１０を使用するときは、キーボード筐体１０１から開閉蓋部１０２を開いていくと、開閉蓋部１０２の回動軸１０５が回転して回動軸１０５に取り付けられた伝達機構１０６が作動し、連結部材１０７を介して連動パネル１０４が図中、右方へ移動せしめられる（図５参照）。
これにより、連動パネル１０４上の全ての可動軸部６が、それぞれ個々のキースイッチ１のパネル２における長穴２２を移動し、これにより、弾性線状部材５の延在する方向と直交する方向に、弾性線状部材５が中間部位を介して引っ張られる（図２参照）。これにより、弾性線状部材５に自然長に戻そうとする張力が生じ、この張力が一対のリンク部材３の基部３２をパネル２の中央部に向かって引き込むように作用する。これにより、一対のリンク部材３は、基部３２側が、スライド軸部３２ａを介してパネル２のスライド案内部２１における案内溝２１ａを移動し、先端３１の噛合い歯３１ａ、３１ｂが係合した状態で先端３１側が起立していき、キートップ４をキー操作可能な状態に立ち上げることができるのである（図１参照）。
【００２２】
キートップ４がキー操作可能な状態に立上った状態では、パネル２の長穴２２から突出する可動軸部６が、弾性線状部材５を、一対のリンク部材３の基部３２間を繋ぐ直線に対し直交する方向に、中間部位を介して引っ張っているので（図２参照）、一対のリンク部材３は、常時先端３１が起立状態に付勢される。この状態で、キートップ４の押下げ操作がなされると、弾性線状部材５には、さらに引っ張り力が加わり、ある押下げ位置まで、キートップ４に対する押下げ力が増加する。すなわち、一対のリンク部材３が略一直線状となるように倒伏していき、リンク部材３の軸方向が略一直線状となって、弾性線状部材５を固定する双方の基部３２を通る直線方向と略平行状態となる直前まで、押下げ力が増加する。
そして、一対のリンク部材３が倒伏して略一直線状になり、弾性線状部材５を固定する双方の基部３２を通る直線方向と略平行状態となるところで、急激に押下げ力は低下する。この押下げ力が急激に低下することで、操作者はクリック感となって捉えられ、さらに、キートップ３を押圧することで、今度は、キートップ４の操作突部がパネル２の中心部のスイッチ部７を押圧し、スイッチ部７の接点部を閉成することができる。
【００２３】
スイッチ部７の接点部の閉成操作、すなわち、キー操作が完了したら、操作者は手を離せば、キートップ４は、弾性線状部材５の復元力により、一対のリンク部材３の基部３２をパネル２の中央部に向かって引き込み、これにより、一対のリンク部材３は、基部３２側が、スライド軸部３２ａを介してパネル２のスライド案内部２１における案内溝２１ａを移動し、先端３１の噛合い歯３１ａ、３１ｂが係合した状態で先端３１側が起立していき、キートップ４をキー操作可能な状態に立ち上げることができる（図１参照）。
【００２４】
以上のように、本実施形態によれば、これまでのように上下方向に作用する弾性作動部材の存在により、キースイッチの低背化には限度があったが、このような上下方向に作用する弾性作動部材を省いて、横方向に伸縮するように配置された弾性線状部材を用いることで、より一層のキースイッチの低背化が可能となる。また弾性線状部材によりキートップのある押下げ位置まで押下げ力が増加し、一対のリンク部材が倒伏して略一直線状になるところで急激に押下げ力が低下することで明確な操作感を呈することができる。
そしてこのようなキースイッチを用いたノート型パソコンによれば、本キースイッチは、開閉蓋部を開いてキー操作をするときだけ立ち上がり、開閉蓋部を閉じることでリンク部材がパネル上に倒伏状態となり、リンク部材の基端部間に連結される弾性線状部材が自然長の状態で、倒伏状態のリンク部材の一対の腕部の高さより低い位置として、キートップを最低位置に維持することができるので、パソコン本体の厚さの薄型化に寄与することができる。
【００２５】
本発明は、上述の第１実施形態に限られない。すなわち、図８、図９に示す第２実施形態としてキースイッチ１を構成することができる。なお、この第２実施形態では、第１実施形態と実質的に同様の構成要素に対しては、同符号を付して、その詳細な説明は省略する。
このキースイッチ１では、キースイッチ１のパネル２上に、キートップ４およびリンク部材３の動作とは独立して移動可能な可動部としての可動パネル６が配置されている。この場合の可動パネル６には、キースイッチ１のパネル２上のスライド案内部２１に対応し、それぞれ中心部を挟んで一対の通孔６ａ、６ａが形成される。また、可動パネル６には、キースイッチ１のパネル２におけるスイッチ部７に対応して、キートップ４の操作突部が挿通される操作穴６ｂが形成されている。
そして、かかる操作穴６ｂに近接するように、一対の通孔６ａ、６ａ間に弾性線状部材５が掛け渡され、弾性線状部材５の中間点を可動パネル６に固定するべく、可動パネル６に固定部６ｃが設けられている。また弾性線状部材５の両端部には、一対のリンク部材３の基部３２を係止するための係止部５１、５１が取着されている。
【００２６】
ここでのリンク部材３は、略方形状部材からなり、それぞれ基部３２をスライド軸部３２ａを介してパネル２上のスライド案内部２１に移動可能に係合している。
また、リンク部材３の先端３１の互いに対向する中央部位には、切欠部３４が形成され、キートップ４の操作突部が可動パネル６の操作穴６ｂを介してパネル２におけるスイッチ部７に接触できるようにしている。
【００２７】
次に、以上のような第２実施形態に係るキースイッチ１を搭載したノート型パソコン１０について説明する。
図１０ａは、ノート型パソコン１０の別例の模式的斜視図である。ここでは、キースイッチ１がキーボード筐体１０１に複数搭載される際、可動部としての可動パネル６は、搭載される全てのキースイッチ１のパネル２を覆う大きさの可動パネル６として構成される。なお、ここにおいても、図５に示すノート型パソコン１０と同様、可動パネル６は、ノート型パソコン１０に設けられた連動機構部１０３によって、開閉蓋部１０２の開閉動作に連動するようになっている。すなわち可動パネル６は、開閉蓋部１０２の回動軸１０５が回転して回動軸１０５に取り付けられた伝達機構１０６が作動し、連結部材１０７を介して連動するようになっている。
【００２８】
ノート型パソコン１０の開閉蓋部１０２が閉じられた状態にあるときは、キーボード筐体１０１上のキースイッチ１の一対のリンク部材３は、可動パネル６上に倒伏状態にあり、キートップ４が最低位状態にある（図１０ｂ、図１１参照）。このときは、一対の通孔６ａ、６ａ間に配置された弾性線状部材５は、自然長のままであり、一対のリンク部材３には何ら応力はかからず、キートップ４が最低位状態を維持する。
【００２９】
次いで、キーボード筐体１０１から開閉蓋部１０２を開いていくと、連動機構部１０３により可動パネル６が筐体１０１に複数搭載されるキースイッチ１のパネル２上をスライドする（図１０ａ、図１０ｃ参照）。これにより、弾性線状部材５の中間点を固定する固定部６ｃが移動するので、弾性線状部材５に対し、応力がかかり、弾性線状部材５の両端部の係止部５１、５１を介してリンク部材３の基部３２を押圧し、これによりリンク部材３の先端３１が、噛合い歯３１ａ、３１ｂを介して係合状態で起立していき、キートップ４を立ち上げ、キー操作ができる状態となる（図１２参照）。
【符号の説明】
【００３０】
１    キースイッチ
２    パネル
２１    スライド案内部
２１ａ    案内溝
２２    長穴
３    リンク部材
３１    先端
３１ａ、３１ｂ    噛合い歯
３１ｃ    回動軸
３２    基部
３２ａ    スライド軸部
３３    腕部
３４    切欠部
４    キートップ
４ａ    突出部
５    弾性線状部材
５１    係止部
６    可動部（可動軸部、可動パネル）
６ａ    通孔
６ｂ    操作穴
６ｃ    固定部
７    スイッチ部
１０    ノート型パソコン
１０１    キーボード筐体
１０２    開閉蓋部
１０３    連動機構部
１０４    連動パネル
１０５    回動軸
１０６    伝達機構
１０７    連結部材
【図１】
2013114984.tif 000003
【図２】
2013114984.tif 000004
【図３】
2013114984.tif 000005
【図４】
2013114984.tif 000006
【図５】
2013114984.tif 000007
【図６】
2013114984.tif 000008
【図７】
2013114984.tif 000009
【図８】
2013114984.tif 000010
【図９】
2013114984.tif 000011
【図１０ａ】
2013114984.tif 000012
【図１０ｂ】
2013114984.tif 000013
【図１０ｃ】
2013114984.tif 000014
【図１１】
2013114984.tif 000015
【図１２】
2013114984.tif 000016